(57)【要約】【課題】表示画像の電子ズームを行った場合でも、合焦の操作性を向上させた撮像装置及び撮像方法を提供する。【解決手段】自動的に焦点を検出する自動焦点検出手段と、表示画面に画像を表示する画像表示手段と、表示画像の電子ズームを行う電子ズーム手段と、前記表示画面に焦点検出エリアを表示する焦点検出エリア表示手段と、操作入力に応じて前記表示画像に対する前記焦点検出エリアの位置を移動させる焦点検出エリア移動手段と、前記焦点検出エリアを移動させる操作部とを備えた撮像装置であって、前記焦点検出エリア移動手段が、一操作入力による前記焦点検出エリアの前記移動の量５０２を電子ズーム倍率に応じて変更できるようにする。【選択図】図１０
2008067136.tif 000002
【特許請求の範囲】
【請求項１】
自動的に焦点を検出する自動焦点検出手段と、表示画面に画像を表示する画像表示手段と、前記表示画面における表示画像の拡大又は縮小を行う電子ズーム手段と、前記表示画面に焦点検出エリアを表示する焦点検出エリア表示手段と、操作入力に応じて前記表示画像に対する前記焦点検出エリアの位置を移動させる焦点検出エリア移動手段と、前記焦点検出エリアを移動させる操作部と、を備えた撮像装置であって、
前記焦点検出エリア移動量変更手段は、一操作入力による前記焦点検出エリアの前記移動の量を、電子ズーム倍率に応じて変更することを特徴とする撮像装置。
【請求項２】
前記焦点検出エリア移動量変更手段は、前記表示画面における前記焦点検出エリアの位置を移動させ、一操作入力による該移動の量を、電子ズーム倍率に応じて変更することを特徴とする請求項１に記載の撮像装置。
【請求項３】
前記焦点検出エリア移動量変更手段は、前記表示画面における表示画像の表示領域を移動させ、一操作入力による該移動の量を、電子ズーム倍率に応じて変更することを特徴とする請求項１に記載の撮像装置。
【請求項４】
前記焦点検出エリア移動量変更手段は、前記表示画面における前記焦点検出エリアの位置と、前記表示画面における表示画像の表示領域とを同時に移動させ、一操作入力による該移動の量を、電子ズーム倍率に応じて変更することを特徴とする請求項１に記載の撮像装置。
【請求項５】
前記焦点検出エリア表示手段は、前記表示画面に対する前記焦点検出エリアの占有率を、電子ズーム倍率に応じて変更する焦点検出エリア占有率変更手段を備えることを特徴とする請求項１から４のいずれか一項に記載の撮像装置。
【請求項６】
自動的に焦点を検出する自動焦点検出手段と、表示画面に画像を表示する画像表示手段と、前記表示画面における表示画像の拡大又は縮小を行う電子ズーム手段と、前記表示画面に焦点検出エリアを表示する焦点検出エリア表示手段と、操作入力に応じて前記表示画像に対する前記焦点検出エリアの位置を移動させる焦点検出エリア移動手段と、前記焦点検出エリアを移動させる操作部と、を備えた撮像装置における撮像方法であって、
一操作入力による前記焦点検出エリアの前記移動の量を、電子ズーム倍率に応じて変更することを特徴とする撮像方法。
【請求項７】
前記表示画面における前記焦点検出エリアの位置を移動させ、一操作入力による該移動の量を、電子ズーム倍率に応じて変更することを特徴とする請求項６に記載の撮像方法。
【請求項８】
前記表示画面における表示画像の表示領域を移動させ、一操作入力による該移動の量を、電子ズーム倍率に応じて変更することを特徴とする請求項６に記載の撮像方法。
【請求項９】
前記表示画面における前記焦点検出エリアの位置と、前記表示画面における表示画像の表示領域とを同時に移動させ、一操作入力による該移動の量を、電子ズーム倍率に応じて変更することを特徴とする請求項６に記載の撮像方法。
【請求項１０】
前記表示画面に対する前記焦点検出エリアの占有率を、電子ズーム倍率に応じて変更することを特徴とする請求項６から９のいずれか一項に記載の撮像方法。
【発明の詳細な説明】
【技術分野】
【０００１】
本発明は、自動焦点検出（以下、「ＡＦ」という。）を行う撮像装置及び撮像方法に関する。
【背景技術】
【０００２】
デジタルスチルカメラ等の電子撮像装置は、被写体に対して自動的に焦点を合わせるＡＦ装置を搭載しているのが一般的である。そして、ＡＦ装置におけるＡＦ制御方法としては、コントラスト検出方式が広く用いられている（例えば、特許文献１参照）。
【０００３】
このコントラスト検出方式は、１フィールド（或いは、１フレーム）毎に得られる映像信号中の高周波成分又は近接画素の輝度差の積分値を求め、この輝度差の積分値を、合焦度合いを示すＡＦ評価値とするものである。合焦状態にあるときは被写体のエッジ部分は明瞭であるためＡＦ評価値は大きくなり、逆に、合焦状態でないときは被写体のエッジ部分が不明瞭であるためＡＦ評価値は小さくなる。
【０００４】
ＡＦ動作の実行時においては、フォーカスレンズを光軸方向に移動させながらＡＦ評価値を順次取得していき、ＡＦ評価値が最も大きくなったところ（以下、「ピーク位置」という。）を合焦点としてレンズを停止させる。一般的に、デジタルスチルカメラ等のスチル画像を撮像する装置では、ビデオカメラ等の動画を撮影する装置に比べ厳密な合焦が要求されるため、撮影動作のたびにＡＦ動作を行うか、記録モードにおいて常に合焦動作を繰り返し行う。
【０００５】
しかし、背景にコントラストが強いものがある場合や、近接撮影で目的の被写体とその周辺の被写体との距離が近い場合には、背景側に焦点が合ってしまい所望の合焦ができない場合が生じるという問題があった。また、三脚に固定して撮影する場合、好みのアングルの中央に目的の被写体が存在しない場合は、いったん目的の被写体に合焦点をロックさせてから、改めて三脚を固定しなければならないという問題もあった。
【０００６】
この点に関して、液晶ディスプレイにＡＦをする範囲を表示し、これを操作入力で移動させることで上記問題を解決する方法が提案されている（例えば、特許文献２参照）。
【特許文献１】特公昭３９−５２６５号
【特許文献２】特開２００３−１２１７３２号
【発明の開示】
【発明が解決しようとする課題】
【０００７】
しかし、近年のデジタルスチルカメラに搭載されている電子ズーム機能のように映像信号の一部を切り取り、その範囲でＡＦ撮影をするだけでは、上記ＡＦをするエリア（以下、「ＡＦエリア」という。）を移動させたとしても必ずしも望む結果にはならないという問題がある。つまり、ＡＦエリアは焦点検出の精度上ある一定のサイズ以下にはできず、高い倍率の電子ズーム時では、液晶ディスプレイに占めるＡＦエリアは大きくなってしまい、ＡＦエリアを移動させたとしても合焦結果が変わらないとか、望んでいない合焦位置に合焦してしまうという問題が生じうる。さらに、上下左右移動ボタンの押下によりＡＦエリアを移動させようとしても、一回の操作によってＡＦエリアが移動する量は、電子ズーム倍率が高くなる程小さくなり合焦の操作性が低下する。
【０００８】
本発明は、上記課題に鑑みてなされたものであり、表示画像の電子ズームを行った場合でも、合焦の操作性を向上させた撮像装置及び撮像方法を提供することを課題とする。
【課題を解決するための手段】
【０００９】
上記課題を解決するために、請求項１に係る発明は、自動的に焦点を検出する自動焦点検出手段と、表示画面に画像を表示する画像表示手段と、前記表示画面における表示画像の拡大又は縮小を行う電子ズーム手段と、前記表示画面に焦点検出エリアを表示する焦点検出エリア表示手段と、操作入力に応じて前記表示画像に対する前記焦点検出エリアの位置を移動させる焦点検出エリア移動手段と、前記焦点検出エリアを移動させる操作部とを備えた撮像装置であって、前記焦点検出エリア移動手段が、一操作入力による前記焦点検出エリアの前記移動の量を、電子ズーム倍率に応じて変更する焦点検出エリア移動量変更手段を備えていることを特徴とするものである。
【００１０】
また、請求項２に記載の発明は、請求項１に記載の撮像装置において、前記焦点検出エリア移動量変更手段が、前記表示画面における前記焦点検出エリアの位置を移動させるとともに、一操作入力による該移動の量を電子ズーム倍率に応じて変更することを特徴とするものである。
【００１１】
また、請求項３に記載の発明は、請求項１に記載の撮像装置において、前記焦点検出エリア移動量変更手段が、前記表示画面における表示画像の表示領域を移動させるとともに、一操作入力による該移動の量を電子ズーム倍率に応じて変更することを特徴とするものである。
【００１２】
また、請求項４に記載の発明は、請求項１に記載の撮像装置において、前記焦点検出エリア移動量変更手段が、前記表示画面における前記焦点検出エリアの位置と前記表示画面における表示画像の表示領域とを同時に移動させるとともに、一操作入力による該移動の量を電子ズーム倍率に応じて変更することを特徴とするものである。
【００１３】
また、請求項５に記載の発明は、請求項１から４のいずれか一項に記載の撮像装置において、前記焦点検出エリア表示手段が、前記表示画面に対する前記焦点検出エリアの占有率を電子ズーム倍率に応じて変更する焦点検出エリア占有率変更手段を備えていることを特徴とするものである。
【００１４】
また、請求項６に記載の発明は、自動的に焦点を検出する自動焦点検出手段と、表示画面に画像を表示する画像表示手段と、前記表示画面における表示画像の拡大又は縮小を行う電子ズーム手段と、前記表示画面に焦点検出エリアを表示する焦点検出エリア表示手段と、操作入力に応じて前記表示画像に対する前記焦点検出エリアの位置を移動させる焦点検出エリア移動手段と、前記焦点検出エリアを移動させる操作部とを備えた撮像装置における撮像方法であって、一操作入力による前記焦点検出エリアの前記移動の量を電子ズーム倍率に応じて変更することを特徴とするものである。
【００１５】
また、請求項７に記載の発明は、請求項６に記載の撮像方法において、前記表示画面における前記焦点検出エリアの位置を移動させるとともに、一操作入力による該移動の量を電子ズーム倍率に応じて変更することを特徴とするものである。
【００１６】
また、請求項８に記載の発明は、請求項６に記載の撮像方法において、前記表示画面における表示画像の表示領域を移動させるとともに、一操作入力による該移動の量を電子ズーム倍率に応じて変更することを特徴とするものである。
【００１７】
また、請求項９に記載の発明は、請求項６に記載の撮像方法において、前記表示画面における前記焦点検出エリアの位置と、前記表示画面における表示画像の表示領域とを同時に移動させるとともに、一操作入力による該移動の量を電子ズーム倍率に応じて変更することを特徴とするものである。
【００１８】
また、請求項１０に記載の発明は、請求項６から９のいずれか一項に記載の撮像方法において、前記表示画面に対する前記焦点検出エリアの占有率を電子ズーム倍率に応じて変更することを特徴とするものである。
【発明の効果】
【００１９】
本発明によれば、電子ズーム機能によって表示画像を拡大又は縮小させた場合、焦点検出エリアの一操作入力よる移動量を、その拡大又は縮小の割合に応じて変更できるので、合焦の操作性の向上が図られる。
【発明を実施するための最良の形態】
【００２０】
以下に、本発明に係る撮像装置及び撮像方法の実施例を図面を参照して説明する。
【実施例１】
【００２１】
最初にデジタルカメラのブロック図１の各部についての説明をする。レンズユニット内にあるレンズ群１０（ズームスレンズ及びフォーカスレンズ）は、モータドライバ２０によって駆動される。モータドライバ２０は、信号処理ＩＣ７０の内部に含まれるマイクロコンピュータ（以下、「マイコン」という。）７１によって制御される。
【００２２】
撮像部５０は、ＣＣＤ４０、ＣＣＤ４０を駆動するタイミング信号発生器（ＴＧ）５１、ＣＣＤから出るノイズを除去するＣＤＳ５２、アナログゲインコントローラ（ＡＧＣ）５３、及び、ＣＣＤ４０の出力電気信号（アナログ画像データ）をデジタル信号に変換するＡ／Ｄ変換器５４から構成されている。
【００２３】
撮像部５０から入力されたデジタルデータは、ＣＣＤ Ｉ／Ｆ部７２を介して、画像蓄積部であるＳＤＲＡＭ８０に、ＲＧＢデータ８２として一時保管される。
【００２４】
信号処理ＩＣ７０は、システム制御を行うマイコン７１、ＣＣＤ  Ｉ／Ｆ部７２、画像処理部７３、リサイズ部７４、ＪＰＥＧコーデック部７５、表示Ｉ／Ｆ部７６、音声コーデック部７７、カードコントローラ部７８、及び、メモリコントローラ７９から構成されている。
【００２５】
ＣＣＤ  Ｉ／Ｆ部７２は、画面水平同期信号（ＨＤ）と画面垂直同期信号（ＶＤ）の出力を行い、その同期信号に合わせてＡ／Ｄ変換器５４から入力されるデジタルＲＧＢ信号を取り込んで、メモリコントローラ７９経由でＳＤＲＡＭ８０にＲＧＢデータ８２の書き込みを行う。
【００２６】
画像処理部７３は、制御部であるマイコン７１から設定された画像処理パラメータに基づき、ＳＤＲＡＭ８０にＲＧＢデータ８２として一時保管されていたＹＵＶデータ８３に変換処理する。
【００２７】
リサイズ部７４は、ＹＵＶデータ８３を読み出して、記録、サムネイル画像、表示のためにサイズ変換を行う。
【００２８】
表示Ｉ／Ｆ部７６は、ＳＤＲＡＭ８０に書き込まれた表示用データを表示装置９０に送り、撮影画像の表示を行う。この表示装置９０は、カメラに内蔵されたＬＣＤ２０３（図２（a）参照）に表示するほか、表示装置９０としてのテレビにＴＶビデオ信号を出力し表示することも可能である。
【００２９】
ＪＰＥＧコーデック部７５は、記録時はＳＤＲＡＭ８０に書き込まれたＹＵＶデータ８３を圧縮してＪＰＥＧ符号化されたデータを出力し、再生時はカードより読み出したＪＰＥＧ符号化データをＹＵＶデータ８３に伸張して出力する。
【００３０】
カードコントローラ部７８は、マイコン７１の指示により、メモリカード１１０内のデータをＳＤＲＡＭ８０に読み出したり、ＳＤＲＡＭ８０上のデータをメモリカード１１０に書き込みを行う。
【００３１】
制御部であるマイコン７１は、起動時にＲＯＭ１２０に格納されたプログラム及び制御データをＳＤＲＡＭ８０にロードし、そのプログラム８１に基づいて全体を制御する。マイコン７１は、操作部６０のボタン（以下、「釦」と記載する。）等による指示、図示しないリモコン等の外部動作指示、或は、パーソナルコンピュータ等の外部端末からの通信による通信動作指示に従い、撮像動作制御、画像処理装置における画像処理パラメータの設定、メモリコントロール、各種の表示制御を行う。
【００３２】
操作部６０は、撮影者が撮像装置の動作指示を行うためのものであり、撮影を指示するレリーズ釦、光学ズーム及び電子ズームの倍率を設定するズーム釦、その他、各種設定を外部から行うための釦を備えている。
【００３３】
次に電子ズーム時の撮影動作についての説明を行う。
【００３４】
図２の撮影／再生切り換えダイアル２１２を撮影に設定し、電源釦２０１によってカメラを起動すると、レンズが所定の焦点距離位置に設定されて、電子ファインダであるＬＣＤ２０３にライブビュー映像が表示される。
【００３５】
起動状態から、ズーム望遠釦（以下、「ズームＴ釦」という。）２０７を押すと、表示画像のトリミング部分が拡大表示される。また、ズーム広角釦（以下、「ズームＷ釦」という。）２０８を押すと、表示画像のトリミング部分が縮小表示される。
【００３６】
図３（a）は電子ズーム前の状態で、図３（b）は電子ズーム後の状態である。レリーズ釦２０２が押下されると、ＡＦ動作及び露光時間設定などの撮影準備処理が行われ、続いて記録露光処理が行われる。そして、シャッタ３０を閉じた後に、ＣＣＤ全画素分のＲＧＢデータ８２が一度ＳＤＲＡＭ８０に取り込まれる。
【００３７】
ここで、現在表示されている部分（図３参照）の画像データが画像処理部７３に送られＹＵＶデータ８３に変換される。このＹＵＶデータ８３は、リサイズ部７４で記録画素数に合わせたサイズに変換された後に、ＪＰＥＧ圧縮処理が行なわれ、ヘッダ情報が付加されてＪＰＥＧファイルとしてメモリカード１１０に保存される。
【００３８】
次に、このデジタルカメラでのＡＦ方式について説明を行う。レリーズ釦２０２が押下されると、信号処理ＩＣ７０のＣＣＤ  Ｉ／Ｆ部７２内に取り込まれたデジタルＲＧＢ信号より、画面の合焦度合いを示すＡＦ評価値、露光状態を示すＡＥ評価値が算出される。ＡＦ評価値データは、特徴データとしてマイコン７１に読み出されて、ＡＦの処理に利用される。近接する画素の積分値は、合焦状態にあるときは被写体のエッジ部分がはっきりとしているため、高周波成分が最も高くなる。このため、ＡＦは、それぞれのフォーカスレンズ位置におけるＡＦ評価値を取得して、ＡＦ評価値のピーク位置を検出して行なわれる。また、ＡＦによる合焦検出においてＡＦ評価値のピーク位置が複数あった場合は、各ピーク位置でのＡＦ評価値の大きさ、その周辺のＡＦ評価値との差を判断し、最も信頼性のある点を合焦位置としてＡＦが実行される。
【００３９】
ＡＦ評価値は、デジタルＲＧＢ信号内の特定の範囲から算出することが出来る。図３は、電子ズーム前（図３（a））と電子ズーム後（図３（b））においてライブビュー映像が表示されたときの状態で、図３（b）に示した中心付近の枠内がこのデジタルカメラのＡＦエリア３０１である。図４に示すように、ここでのＡＦエリア３０１は、ＡＦ評価値ターゲット４０１を中心とし、そのＲＧＢ信号内の水平４０％垂直３０％としている。
【００４０】
また、このＡＦ評価値ターゲット４０１の位置は、デフォルトをＡＦエリア３０１の中心位置としているが、移動することが可能であり、例えば図５（a）のような被写体の場合は、上下左右移動釦２０９を押下することによって図５（b）のように被写体の中央（顔の中心部）に合わせることが出来る。これによってデジタルカメラの位置やアングルを変更することなく被写体に合焦させることが可能とる。
【００４１】
次に、本発明の特徴となる動作を説明する。
【００４２】
この撮像装置でのレリーズ釦２０２押下時のＡＦ動作としては、先ず、図５のように、ＡＦ動作をする前に上下左右移動釦２０９を押下してＡＦエリア３０１、即ち、ＡＦ評価値ターゲット４０１を被写体に合わせるように移動させる。このとき、例えば、電子ズーム前における上下左右移動釦２０９の一回の押下（以下、「一操作入力」という。）によって、ＡＦ評価値ターゲット４０１が移動する量を図６のように設定する。ＡＦ評価値ターゲット４０１は、上下左右移動釦２０９を押すごとに、表示画面内の碁盤状座標５０１を一升づつ移動する。この例では、ＡＦ評価値ターゲット４０１を、表示画面の８×８箇所の位置に移動させることができる。ＡＦ評価値ターゲット４０１の位置が定まったときは、Ｅｎｔｅｒ釦２１０を押して決定する。このとき、マイコン７１側にはＡＦ評価値ターゲットが現在位置する座標情報が送られるようになっている。ここで電子ズームを行うと、ＡＦ評価値ターゲット４０１が表示画面としてのＬＣＤ２０３の中央に位置するように拡大される（図７）。これは、マイコン７１側に送られる座標情報からＲＧＢ信号内のＡＦ評価値ターゲット位置を特定することによって可能となる。電子ズーム倍率が２．０倍、４．０倍の表示画像は、それぞれ図７及び図８のようになる。
【００４３】
ここで、レリーズ釦２０２を押下してＡＦ動作を実行する場合、ＡＦエリア３０１も電子ズーム倍率とともに大きくなってしまうので、所望の合焦が得られないという問題が生じる。そこで、ＡＦエリア３０１は、電子ズーム前のＲＧＢ信号の水平４０％垂直３０％よりも小さくなるように、電子ズーム倍率に反比例して縮小させる（図９）。しかし、ＡＦエリア３０１は水平２０％垂直２０％以下になると合焦の精度が落ちてしまうことが懸念されるため、縮小の結果ＡＦエリア３０１がＲＧＢ信号の水平２０％垂直２０％以下となるときは、これ以上の縮小をやめて水平２０％垂直２０％とする。
【００４４】
電子ズーム後において、更にＡＦ評価値ターゲット４０１の位置を移動させる場合は、電子ズーム前の移動とは異なる動作によって行う。即ち、表示画面における前記焦点検出エリアの位置を移動させる際、一操作入力による移動量を電子ズーム倍率の増大に応じて大きくさせる（図１１）。即ち、碁盤状座標の設定を図１１のようにして一操作入力によるＡＦ評価値ターゲット４０１の移動量を大きくする（図１０）。これは、電子ズーム倍率が４．０倍近くなると、一操作入力によるＡＦ評価値ターゲットの移動量は、電子ズーム前（図６）の場合に比べてかなり少ないものとなってしまい、ＡＦ評価値ターゲットの移動の意味をなさないからである。
【００４５】
なお、ここでの通常エリアのＡＦ評価値ターゲット４０１の移動可能位置は８×８箇所としているが、これに限られることはない。また、ＡＦエリア３０１の縮小率を合焦精度による制限上水平２０％垂直２０％としているが、より高解像度のＣＣＤ４０では充分な合焦精度を保証できるであろうから縮小範囲を拡大することは可能であり、この縮小率に限られることはない。さらに、本実施例では、電子ズーム倍率を増大させた場合のＡＦエリアの移動量変更方法について説明したが、電子ズーム倍率を減少させた場合であっても同様の方法が適用できる。
【００４６】
本実施例によれば、電子ズーム機能によって表示画像を拡大又は縮小させた場合、ＡＦエリアの一操作入力よる移動量を、その拡大又は縮小の割合に応じて変更できるので、合焦の操作性の向上が図られる。さらに、電子ズーム倍率に応じて、ＡＦエリアを拡大或いは縮小できるため、例えば、表示画像を拡大した場合であれば、ＡＦの対象を詳細に特定することができ、所望の合焦を得ることができる。
【実施例２】
【００４７】
次に、第２の実施例を示す。実施例１で述べたのと同様の理由に基づき、電子ズーム後にＡＦ評価値ターゲット４０１の位置を移動させる際に、電子ズーム前の移動とは異なる動作でＡＦ評価値ターゲット４０１の移動を行わせる。
【００４８】
本実施例においては、碁盤状座標の一升サイズは図６のままであるが、図１２のように、ＡＦ評価値ターゲット４０１の移動に加えて、表示画像の表示領域の移動も同時に行うようにしている。つまり、ＡＦ評価値ターゲットの移動量は、ＡＦ評価値ターゲットの移動とともに、表示画像の表示領域をＡＦ評価値ターゲット４０１の移動方向とは逆方向に移動させることによって増大させる。そして、この表示画像の表示領域の移動量は、ＡＦエリアを最も縮小した場合（例えば、ＲＧＢ信号の水平２０％垂直２０％）において、一操作入力によるＡＦエリアの移動量が効果的となるように設定する。例えば、表示画像の表示領域の移動量を、ＡＦ評価値ターゲットが碁盤状座標の一升を移動したときに、表示画像に対してはＡＦエリアの水平或いは垂直サイズ分を移動するように設定すればよい。なお、ＡＦ操作中においては、表示画像の表示領域は変化していくが、実際の撮影領域は、ＡＦ評価値ターゲット移動前の表示領域（図１３参照）において行う。
【００４９】
この場合も実施例１と同様、ＡＦ評価値ターゲット４０１の移動可能位置、及び、ＡＦエリア３０１の拡大又は縮小範囲ともに一定の範囲に限られるものではない。また、本実施例では、電子ズーム倍率を増大させた場合のＡＦエリアの移動量変更方法について説明したが、電子ズーム倍率を減少させた場合であっても同様の方法が適用できる。さらに、ＡＦ評価値ターゲットは一定位置に固定したまま、表示画像の表示領域のみを移動させ、この移動量を電子ズーム倍率に応じて変更させることも当然に可能である。
【００５０】
本発明によれば、電子ズーム機能によって表示画像を拡大又は縮小させた場合、ＡＦエリアの一操作入力よる移動量を、その拡大又は縮小の割合に応じて変更できるので、合焦の操作性の向上が図られる。また、撮像装置の位置やアングルを変更することなく、所望の合焦を得ることができる。さらに、電子ズーム倍率に応じて、ＡＦエリアを拡大或いは縮小できるため、例えば、表示画像を拡大した場合であれば、ＡＦの対象を詳細に特定することができ、所望の合焦を得ることができる。
【図面の簡単な説明】
【００５１】
【図１】本発明の実施例に係る撮像装置としてのデジタルカメラの内部のシステム構成の概要を示すブロック図である。
【図２】本発明の実施例に係る撮像装置としてのデジタルカメラの概略図であり、（a）は正面図、（b）は背面図、（c）は上面図である。
【図３】電子ズームによる被写体の変化の様子を示したものであり、（a）は電子ズーム前、（b）は電子ズーム後の図である。
【図４】ライブビュー映像表示画面の概略図である。
【図５】ＡＦ評価値ターゲットの移動例を示した図である。
【図６】電子ズーム前（通常状態）における焦点検出エリアの移動可能位置と、一操作入力によるＡＦエリア移動可能幅を示した図である。
【図７】電子ズーム２．０倍の様子を示したものであり、（a）は電子ズーム前、（b）は電子ズーム後の図である。
【図８】電子ズーム４．０倍の様子を示したものであり、（a）は電子ズーム前、（b）は電子ズーム後の図である。
【図９】電子ズーム倍率に応じたＡＦエリアのサイズ変更の例を示した図である。
【図１０】電子ズーム後におけるＡＦエリアの移動可能位置と、一操作入力によるＡＦエリア移動可能幅を示した図である。
【図１１】本願発明の実施例１に係るＡＦ評価値ターゲットの移動の様子を示した図である。
【図１２】本願発明の実施例２に係るＡＦ評価値ターゲットの移動の様子を示した図である。
【図１３】本願発明の実施例２に係るＡＦ評価値ターゲットの移動後（図１２）に、実際に撮影する画像を示した図である。
【符号の説明】
【００５２】
７１    マイコン（制御部）
７６    表示ＩＦ
２０３  ＬＣＤ２０３
３０１  ＡＦエリア
４０１  ＡＦ評価値ターゲット
５０１  電子ズーム前における一操作入力によるＡＦエリア移動可能幅
５０２  電子ズーム後における一操作入力によるＡＦエリア移動可能幅
【図１】
2008067136.tif 000003
【図２】
2008067136.tif 000004
【図３】
2008067136.tif 000005
【図４】
2008067136.tif 000006
【図５】
2008067136.tif 000007
【図６】
2008067136.tif 000008
【図７】
2008067136.tif 000009
【図８】
2008067136.tif 000010
【図９】
2008067136.tif 000011
【図１０】
2008067136.tif 000012
【図１１】
2008067136.tif 000013
【図１２】
2008067136.tif 000014
【図１３】
2008067136.tif 000015